(57)【要約】  相対的に電気的なインターロックが行われる少なくとも３台の遮断器１，２，３及びこれら３台の遮断器の前記インターロック対象となる組み合わせのパターンを設定するインターロック装置４から各々構成された複数のグループ５０１，５０２，５０３における複数の前記インターロック装置が配線７，８で接続され、前記遮断器の各々に自己の前記グループの内部の前記遮断器の前記インターロックの状態を表示するインターロック表示部６が設けられ、前記インターロック表示部に前記パターンの種別、前記グループの種別が表示され、電気的にインターロックを取ったグループが複数存在しても、遮断器本体の電気的な表示によって、どのインターロックのグループに属しているかを分かる。
2014192131.tif 000002
【特許請求の範囲】
【請求項１】
相対的に電気的なインターロックが行われる少なくとも３台の遮断器及びこれら３台の遮断器の前記インターロック対象となる組み合わせのパターンを設定するインターロック装置から各々構成された複数のグループにおける複数の前記インターロック装置が配線で接続され、前記遮断器の各々に自己の前記グループの内部の前記遮断器の前記インターロックの状態を表示するインターロック表示部が設けられ、前記インターロック表示部に前記パターンの種別、前記グループの種別が表示される遮断器のインターロック表示システム。
【請求項２】
請求項１に記載の遮断器のインターロック表示システムにおいて、前記グループの種別がＬＥＤで識別表示されることを特徴とする遮断器のインターロック表示システム。
【請求項３】
請求項１または請求項２に記載の遮断器のインターロック表示システムにおいて、前記遮断器の前記インターロックの相手の前記遮断器の動作状態が前記インターロック表示部に表示されることを特徴とする遮断器のインターロック表示システム。
【請求項４】
請求項１または請求項２に記載の遮断器のインターロック表示システムにおいて、前記インターロック表示部に、前記インターロックの動作中及び解除の表示が行われることを特徴とする遮断器のインターロック表示システム。
【請求項５】
請求項１または請求項２に記載の遮断器のインターロック表示システムにおいて、前記インターロック表示部に、前記インターロックの誤動作の表示が行われることを特徴とする遮断器のインターロック表示システム。
【請求項６】
請求項１または請求項２に記載の遮断器のインターロック表示システムにおいて、前記遮断器の前記インターロックの相手の前記遮断器の動作状態が前記インターロック表示部に表示され、前記インターロック表示部に、前記インターロックの動作中及び解除の表示が行われることを特徴とする遮断器のインターロック表示システム。
【請求項７】
請求項１または請求項２に記載の遮断器のインターロック表示システムにおいて、前記遮断器の前記インターロックの相手の前記遮断器の動作状態が前記インターロック表示部に表示され、前記インターロック表示部に、前記インターロックの誤動作の表示が行われることを特徴とする遮断器のインターロック表示システム。
【請求項８】
請求項１または請求項２に記載の遮断器のインターロック表示システムにおいて、前記インターロック表示部に、前記インターロックの動作中及び解除の表示及び前記インターロックの誤動作の表示が行われることを特徴とする遮断器のインターロック表示システム。
【請求項９】
請求項１または請求項２に記載の遮断器のインターロック表示システムにおいて、前記遮断器の前記インターロックの相手の前記遮断器の動作状態が前記インターロック表示部に表示され、前記インターロック表示部に、前記インターロックの動作中及び解除の表示及び前記インターロックの誤動作の表示が行われることを特徴とする遮断器のインターロック表示システム。
【請求項１０】
相対的に電気的なインターロックが行われる少なくとも３台の遮断器及びこれら３台の遮断器の前記インターロック対象となる組み合わせのパターンを設定するインターロック装置から各々構成された複数のグループにおける複数の前記インターロック装置が配線で接続される前記遮断器であって、自己の前記グループの内部の前記遮断器の前記インターロックの状態を表示するインターロック表示部が設けられ、前記インターロック表示部に前記パターンの種別、前記グループの種別が表示される遮断器。
【請求項１１】
請求項１０に記載の遮断器において、前記グループの種別がＬＥＤで識別表示されることを特徴とする遮断器。
【請求項１２】
請求項１０または請求項１１に記載の遮断器において、前記インターロックの相手の前記遮断器の動作状態が前記インターロック表示部に表示されることを特徴とする遮断器。
【請求項１３】
請求項１０または請求項１１に記載の遮断器において、前記インターロック表示部に、前記インターロックの動作中及び解除の表示が行われることを特徴とする遮断器。
【請求項１４】
請求項１０または請求項１１に記載の遮断器において、前記インターロック表示部に、前記インターロックの誤動作の表示が行われることを特徴とする遮断器。
【請求項１５】
請求項１０または請求項１１に記載の遮断器において、前記インターロックの相手の前記遮断器の動作状態が前記インターロック表示部に表示され、前記インターロック表示部に、前記インターロックの動作中及び解除の表示が行われることを特徴とする遮断器。
【請求項１６】
請求項１０または請求項１１に記載の遮断器において、前記インターロックの相手の前記遮断器の動作状態が前記インターロック表示部に表示され、前記インターロック表示部に、前記インターロックの誤動作の表示が行われることを特徴とする遮断器。
【請求項１７】
請求項１０または請求項１１に記載の遮断器において、前記インターロック表示部に、前記インターロックの動作中及び解除の表示及び前記インターロックの誤動作の表示が行われることを特徴とする遮断器。
【請求項１８】
請求項１０または請求項１１に記載の遮断器において、前記インターロックの相手の前記遮断器の動作状態が前記インターロック表示部に表示され、前記インターロック表示部に、前記インターロックの動作中及び解除の表示及び前記インターロックの誤動作の表示が行われることを特徴とする遮断器。
【発明の詳細な説明】
【技術分野】
【０００１】
この発明は、相対的に電気的なインターロックが行われる少なくとも３台の遮断器及びこれら３台の遮断器の前記インターロック対象となる組み合わせのパターンを設定するインターロック装置から各々構成された複数のグループにおける遮断器のインターロック表示システム及び遮断器に関するものである。
【背景技術】
【０００２】
複数台の遮断器間のインターロックを電気的に取る手段としては、遮断器に内蔵された補助接点及び、電圧引きはずし装置や不足電圧引きはずし装置をインターロック相手の遮断器と配線する方法が知られている（例えば、特許文献１参照）。
【特許文献１】実公昭６３−０４３７０３号公報
【発明の開示】
【発明が解決しようとする課題】
【０００３】
上記のような複数台の遮断器間のインターロックを電気的に取ったグループが他にも存在した場合に、どの遮断器がどのインターロックのグループに属しているかが分からないという問題があった。【０００４】
この発明は、上述のような課題を解決するためになされたもので、電気的にインターロックを取ったグループが複数存在しても、遮断器本体の電気的な表示によって、どのインターロックのグループに属しているかを分かるようにすることを目的とするものである。
【課題を解決するための手段】
【０００５】
この発明に係る遮断器のインターロック表示システムは、電気的にインターロックを取ったグループが複数存在しても、遮断器本体の電気的な表示によって、どのインターロックのグループに属しているかを分かるように、相対的に電気的なインターロックが行われる少なくとも３台の遮断器及びこれら３台の遮断器の前記インターロック対象となる組み合わせのパターンを設定するインターロック装置から各々構成された複数のグループにおける複数の前記インターロック装置が配線で接続され、前記遮断器の各々に自己の前記グループの内部の前記遮断器の前記インターロックの状態を表示するインターロック表示部が設けられ、前記インターロック表示部に前記パターンの種別、前記グループの種別が表示されるものである。
【発明の効果】
【０００６】
この発明による遮断器のインターロック表示システムは、相対的に電気的なインターロックが行われる少なくとも３台の遮断器及びこれら３台の遮断器の前記インターロック対象となる組み合わせのパターンを設定するインターロック装置から各々構成された複数のグループにおける複数の前記インターロック装置が配線で接続され、前記遮断器の各々に自己の前記グループの内部の前記遮断器の前記インターロックの状態を表示するインターロック表示部が設けられ、前記インターロック表示部に前記パターンの種別、前記グループの種別が表示されるので、電気的にインターロックを取ったグループが複数存在しても、遮断器本体の電気的な表示によって、どのインターロックのグループに属しているかを分かる効果がある。
【図面の簡単な説明】
【０００７】
【図１】この発明の実施の形態１におけるインターロック装置の接続図である。
【図２】この発明の実施の形態１における遮断器の引きはずしリレー部を示す図である。
【図３】この発明の実施の形態１における遮断器の引きはずしリレー部のインターロック表示部を示す図である。
【図４】この発明の実施の形態１におけるインターロック装置を３台使用して、グループ組分け確認用の配線を追加した場合の接続図である。
【図５】この発明の実施の形態１におけるインターロック装置のパターン切替えスイッチをパターン１に切替えた場合のインターロック装置と遮断器の引きはずしリレー部の内部回路図である。
【図６】この発明の実施の形態１におけるインターロック装置のパターン切替えスイッチをパターン２に切替えた場合のインターロック装置と遮断器の引きはずしリレー部の内部回路図である。
【図７】この発明の実施の形態１におけるインターロック装置のパターン切替えスイッチをパターン３に切替えた場合のインターロック装置と遮断器の引きはずしリレー部の内部回路図である。
【図８】この発明の実施の形態１におけるインターロック装置を３台使用して、グループ組分け確認用の配線を追加し、インターロック装置のパターン切替えスイッチをパターン１に切替えた場合の左手に置かれたインターロック装置と遮断器の引きはずしリレー部の内部回路図である。
【図９】この発明の実施の形態１におけるインターロック装置を３台使用して、グループ組分け確認用の配線を追加し、インターロック装置のパターン切替えスイッチをパターン１に切替えた場合の中央に置かれたインターロック装置と遮断器の引きはずしリレー部の内部回路図である。
【図１０】この発明の実施の形態１におけるインターロック装置を３台使用して、グループ組分け確認用の配線を追加し、インターロック装置のパターン切替えスイッチをパターン１に切替えた場合の右手に置かれたインターロック装置と遮断器の引きはずしリレー部の内部回路図である。
【図１１】この発明の実施の形態１におけるインターロックをとる遮断器が全てオフの場合のインターロック装置と遮断器の引きはずしリレー部の本体状態表示、インターロック状態、誤動作表示部の内部回路図である。
【図１２】この発明の実施の形態１におけるインターロックをとる遮断器３台の内の左手の本体がオンの場合のインターロック装置と遮断器の引きはずしリレー部の本体状態表示、インターロック状態、誤動作表示部の内部回路図である。
【図１３】この発明の実施の形態１におけるインターロックをとる遮断器３台の内の中央の本体がオンの場合のインターロック装置と遮断器の引きはずしリレー部の本体状態表示、インターロック状態、誤動作表示部の内部回路図である。
【図１４】この発明の実施の形態１におけるインターロックをとる遮断器３台の内の右手の本体がオンの場合のインターロック装置と遮断器の引きはずしリレー部の本体状態表示、インターロック状態、誤動作表示部の内部回路図である。
【図１５】この発明の実施の形態１におけるインターロック装置のパターン切替え部を多回路ロータリースイッチで構成した図である。
【図１６】この発明の実施の形態２におけるインターロック装置のパターン切替え部を３種類のコネクタで構成した図である。
【発明を実施するための最良の形態】
【０００８】
実施の形態１．
図１は本発明の実施の形態１における３台の遮断器、遮断器１と遮断器２および遮断器３をインターロック装置４に接続した図である。
図１において、電源１１は遮断器１の不足電圧引きはずし装置及びインターロック表示回路を動作させる電源、電源１２は遮断器２の不足電圧引きはずし装置及びインターロック表示回路を動作させる電源、電源１３は遮断器３の不足電圧引きはずし装置及びインターロック表示回路を動作させる電源である。【０００９】
不足電圧引きはずし装置は電圧が印加されるまで遮断器をオフでロックする装置であり、インターロック装置４に遮断器の不足電圧引きはずし装置を接続することで３台の遮断器のインターロックが可能となる。
インターロック装置４にはインターロックのパターンを切替えるパターン切替えスイッチ５が付いている。
遮断器には過電流を検出して遮断器の主接点を開路する引きはずしリレーが付いているが、遮断器１の引きはずしリレー１０４、遮断器２の引きはずしリレー２０４、遮断器３の引きはずしリレー３０４には図２に示すようにインターロック表示部６を設けている。  図３は図２のインターロック表示部６の詳細を示した図であるが、インターロックのパターン表示５１、５２、５３、インターロックの該当本体表示５４、５５、５６、遮断器本体のオン表示５７、５８、５９、インターロックの動作中表示６０、インターロックの誤動作表示６１を有している。【００１０】
図４は３台の遮断器のインターロックを取ったグループがグループ５０１、５０２、５０３の３つある場合の図である。グループ５０１のインターロック装置４の端子Ｄ、Ｅ、Ｆをグループ５０２のインターロック装置４の端子Ａ、Ｂ、Ｃに配線７により接続し、グループ５０２のインターロック装置４の端子Ｄ、Ｅ、Ｆをグループ５０３のインターロック装置４の端子Ａ、Ｂ、Ｃに配線８により接続することによって、図３のパターン表示５１、５２、５３に用いているＬＥＤ（即ち発光ダイオード）の発光色がグループ５０１、５０２、５０３で異なる色となる回路構成とすることで、どの遮断器がどのグループに属しているかが判断できる。【００１１】
図１に示すインターロック装置４のパターン切替えスイッチ５をパターン１に切替えた場合、遮断器２はブスタイ用の遮断器の役割となり、遮断器１と遮断器２がオンの場合は遮断器３がオフでロックされ、遮断器２と遮断器３がオンの場合は遮断器１がオフでロックされる。また、遮断器１と遮断器３がオンの場合は遮断器２がオフでロックされるようなインターロックパターンとなる。インターロック装置４のパターン切替えスイッチ５をパターン１に切替えた場合のインターロック装置と遮断器の内部回路図は図５となる。図５のスイッチ１４〜２４は図１に示すパターン切替えスイッチ５の切替えと連動して同じパターンに切り替わる構造となっている。図５で太線部分は遮断器１、遮断器２、遮断器３がオフの状態において電流が流れる経路を示している。補助スイッチ１０２のスイッチ１１６、１１７、補助スイッチ２０２の２１６、２１７、補助スイッチ３０２の３１６、３１７はｂ接点のスイッチであり、遮断器がオンのときはオフとなる。また、スイッチ１１８、２１８、３１８はａ接点のスイッチであり遮断器がオンのときはオンとなる。遮断器３の不足電圧引きはずし装置３０３と電源１３の間には、遮断器１の補助スイッチ１０２のスイッチ１１６と遮断器２の補助スイッチ２０２のスイッチ２１７の並列回路が入っており、遮断器１と遮断器２がオンの場合はスイッチ１１６とスイッチ２１７が共にオフとなるため、遮断器３の不足電圧引きはずし装置３０３への電源供給が遮断され、遮断器３がオフでロックされる。遮断器１の不足電圧引きはずし装置１０３と電源１１の間には、遮断器２の補助スイッチ２０２のスイッチ２１６と遮断器３の補助スイッチ３０２のスイッチ３１６の並列回路が入っており、遮断器２と遮断器３がオンの場合はスイッチ２１６とスイッチ３１６が共にオフとなるため、遮断器１の不足電圧引きはずし装置１０３への電源供給が遮断され、遮断器１がオフでロックされる。遮断器２の不足電圧引きはずし装置２０３と電源１２の間には、遮断器１の補助スイッチ１０２のスイッチ１１７と遮断器３の補助スイッチ３０２のスイッチ３１７の並列回路が入っており、遮断器１と遮断器３がオンの場合はスイッチ１１７とスイッチ３１７が共にオフとなるため、遮断器２の不足電圧引きはずし装置２０３への電源供給が遮断され、遮断器２がオフでロックされる。
インターロックパターン表示回路１０４のＬＥＤ１Ａ、１Ｂ、１Ｃは２素子入りのＬＥＤであり、左側の素子に通電時は緑色で発光し、右側の素子に通電時は赤色で発光する。また、両側の素子に通電時は２色混じった橙色で発光する。遮断器１の引きはずしリレー１０１のインターロックパターン表示回路１０４の電源１０７は電圧印加回路１１１に接続されており、ＦＥＴ（即ち電界効果型トランジスタ）１１２がオンするようにゲート電圧を印加している。ＦＥＴ１１２がオンしているため、電源１０７から電流制限回路１０８を介してＬＥＤ１Ａの左側の素子へ電流が流れて緑色に発光する。
遮断器２の引きはずしリレー２０１のインターロックパターン表示回路２０４および遮断器３の引きはずしリレー３０１のインターロックパターン表示回路３０４も同様の回路で構成されており、ＬＥＤ１Ａが緑色に発光する。
ＬＥＤ１Ａは図３のＬＥＤ５１に相当し、ＬＥＤ５１が緑色に発光することでインターロックパターンがパターン１であることが分かる。
本体状態表示回路１０５、２０５、３０５およびインターロック状態，誤動作表示回路１０６、２０６、３０６については後述する。【００１２】
図１に示すインターロック装置４のパターン切替えスイッチ５をパターン２に切替えた場合、遮断器１、遮断器２、遮断器３は異なった電源供給用の遮断器の役割となり、遮断器１がオンの場合は遮断器２と遮断器３がオフでロックされ、遮断器２がオンの場合は遮断器１と遮断器３がオフでロックされる。また、遮断器３がオンの場合は遮断器１と遮断器２がオフでロックされるようなインターロックパターンとなる。インターロック装置４のパターン切替えスイッチ５をパターン２に切替えた場合のインターロック装置と遮断器の内部回路図は図６となる。図６で太線部分は遮断器１、遮断器２、遮断器３がオフの状態において電流が流れる経路を示している。遮断器１の不足電圧引きはずし装置１０３と電源１１の間には、遮断器２の補助スイッチ２０２のスイッチ２１６と遮断器３の補助スイッチ３０２のスイッチ３１６の直列回路が入っており、遮断器２がオンの場合は補助ス２１６がオフとなり、遮断器３がオンの場合はスイッチ３１６がオフとなるため、遮断器２または遮断器３のどちらかがオンの場合は、遮断器１の不足電圧引きはずし装置１０３への電源供給が遮断され、遮断器１がオフでロックされる。遮断器２の不足電圧引きはずし装置２０３と電源１２の間には、遮断器１の補助スイッチ１０２のスイッチ１１７と遮断器３の補助スイッチ３０２のスイッチ３１７の直列回路が入っており、遮断器１がオンの場合はスイッチ１１７がオフとなり、遮断器３がオンの場合はスイッチ３１７がオフとなるため、遮断器１または遮断器３のどちらかがオンの場合は、遮断器２の不足電圧引きはずし装置２０３への電源供給が遮断され、遮断器２がオフでロックされる。遮断器３の不足電圧引きはずし装置３０３と電源１３の間には、遮断器１の補助スイッチ１０２のスイッチ１１６と遮断器２の補助スイッチ２０２のスイッチ２１７の直列回路が入っており、遮断器１がオンの場合はスイッチ１１６がオフとなり、遮断器２がオンの場合はスイッチ２１７がオフとなるため、遮断器１または遮断器２のどちらかがオンの場合は、遮断器３の不足電圧引きはずし装置３０３への電源供給が遮断され、遮断器３がオフでロックされる。
遮断器１の引きはずしリレー１０１のインターロックパターン表示回路１０４の電源１０７は電圧印加回路１１１に接続されており、ＦＥＴ１１２がオンするようにゲート電圧を印加している。ＦＥＴ１１２がオンしているため、電源１０７から電流制限回路１０９を介してＬＥＤ１Ｂの左側の素子へ電流が流れて緑色に発光する。
遮断器２の引きはずしリレー２０１のインターロックパターン表示回路２０４および遮断器３の引きはずしリレー３０１のインターロックパターン表示回路３０４も同様の回路で構成されており、ＬＥＤ１Ｂが緑色に発光する。
ＬＥＤ１Ｂは図３のＬＥＤ５２に相当し、ＬＥＤ５２が緑色に発光することでインターロックパターンがパターン２であることが分かる。【００１３】
図１に示すインターロック装置４のパターン切替えスイッチ５をパターン３に切替えた場合、遮断器２は非常電源供給用の遮断器の役割となり、遮断器２がオンの場合は遮断器１と遮断器３がオフでロックされる。また、遮断器１と遮断器３のどちらかがオンまたは両方オンの場合は遮断器２がオフでロックされるようなインターロックパターンとなる。インターロック装置４のパターン切替えスイッチ５をパターン３に切替えた場合のインターロック装置と遮断器の内部回路図は図７となる。図７で太線部分は遮断器１、遮断器２、遮断器３がオフの状態において電流が流れる経路を示している。遮断器１の不足電圧引きはずし装置１０３と電源１１の間には、遮断器２の補助スイッチ２０２のスイッチ２１６が入っており、遮断器２がオンの場合はスイッチ２１６がオフとなり、遮断器１の不足電圧引きはずし装置１０３への電源供給が遮断され、遮断器１がオフでロックされる。遮断器３の不足電圧引きはずし装置３０３と電源１３の間には、遮断器２の補助スイッチ２０２のスイッチ２１７が入っており、遮断器２がオンの場合はスイッチ２１７がオフとなり、遮断器３の不足電圧引きはずし装置３０３への電源供給が遮断され、遮断器３がオフでロックされる。遮断器２の不足電圧引きはずし装置２０３と電源１２の間には、遮断器１の補助スイッチ１０２のスイッチ１１７と遮断器３の補助スイッチ３０２のスイッチ３１７の直列回路が入っており、遮断器１がオンの場合はスイッチ１１７がオフとなり、遮断器３がオンの場合はスイッチ３１７がオフとなるため、遮断器１または遮断器３のどちらかがオンまたは両方がオンの場合は、遮断器２の不足電圧引きはずし装置２０３への電源供給が遮断され、遮断器２がオフでロックされる。
遮断器１の引きはずしリレー１０１のインターロックパターン表示回路１０４の電源１０７は電圧印加回路１１１に接続されており、ＦＥＴ１１２がオンするようにゲート電圧を印加している。ＦＥＴ１１２がオンしているため、電源１０７から電流制限回路１１０を介してＬＥＤ１Ｃの左側の素子へ電流が流れて緑色に発光する。
遮断器２の引きはずしリレー２０１のインターロックパターン表示回路２０４および遮断器３の引きはずしリレー３０１のインターロックパターン表示回路３０４も同様の回路で構成されており、ＬＥＤ１Ｃが緑色に発光する。
ＬＥＤ１Ｃは図３のＬＥＤ５３に相当し、ＬＥＤ５３が緑色に発光することでインターロックパターンがパターン３であることが分かる。【００１４】
図８は図４に示すように３台の遮断器のインターロックを取ったグループがグループ５０１、５０２、５０３の３つある場合のグループ５０１のインターロック装置と遮断器の内部回路図である。
グループ５０１のインターロック装置４のＥ端子、Ｆ端子はグループ５０２のＢ端子、Ｃ端子へ接続されるため、図８に示すようにＥ端子とＦ端子間は短絡される。よって、遮断器１の引きはずしリレー１０１のインターロックパターン表示回路１０４の電源１０７から電流制限回路１０８、フォトカプラ１１３、ダイオード１１５を介してＬＥＤ１Ａの右側の素子へ電流が流れて赤色に発光する。また、電源１０７は電圧印加回路１１１にも接続されており、ＦＥＴ１１２がオンするようにゲート電圧を印加しようとするが、フォトカプラ１１３の発光側は通電されており、フォトカプラ１１３はオン状態となりコレクタとエミッタ間が短絡され、ＦＥＴ１１２のゲートに電圧が印加されなくなり、ＦＥＴ１１２がオフする。これにより、ＬＥＤ１Ａの左側の素子へは電流が流れないため、ＬＥＤ１Ａは赤色で発光する。ダイオード１１５はＬＥＤ１Ａ、１Ｂ、１Ｃとフォトカプラ１１４の発光側ダイオードへ逆電圧が印加され故障することを防止している。
遮断器２の引きはずしリレー２０１のインターロックパターン表示回路２０４および遮断器３の引きはずしリレー３０１のインターロックパターン表示回路３０４も同様の回路で構成されており、ＬＥＤ１Ａが赤色に発光する。
ＬＥＤ１Ａは図３のＬＥＤ５１に相当し、ＬＥＤ５１が赤色に発光することでインターロックパターンがパターン１であり、グループ５０１に属していることが分かる。【００１５】
図９は図４に示すように３台の遮断器のインターロックを取ったグループがグループ５０１、５０２、５０３の３つある場合のグループ５０２のインターロック装置と遮断器の内部回路図である。
グループ５０２のインターロック装置４のＡ端子、Ｂ端子はグループ５０１のＤ端子、Ｅ端子へ接続され、Ｅ端子、Ｆ端子はグループ５０３のＢ端子、Ｃ端子へ接続される。
このため、図９に示すようにＡ端子とＢ端子間およびＥ端子とＦ端子間は短絡される。よって、遮断器１の引きはずしリレー１０１のインターロックパターン表示回路１０４の電源１０７から電流制限回路１０８、ダイオード１１４を介してＬＥＤ１Ａの左側の素子へ電流が流れる。また、電源１０７から電流制限回路１０８、フォトカプラ１１３、ダイオード１１５を介してＬＥＤ１Ａの右側の素子へ電流が流れる。これにより、ＬＥＤ１Ａは橙色に発光する。ダイオード１１４はＬＥＤ１Ａ、１Ｂ、１Ｃへ逆電圧が印加され故障することを防止している。電源１０７は電圧印加回路１１１に接続されており、ＦＥＴ１１２がオンするようにゲート電圧を印加しようとするが、フォトカプラ１１３の発光側は通電されており、フォトカプラ１１３はオン状態となりコレクタとエミッタ間が短絡され、ＦＥＴ１１２のゲートに電圧が印加されなくなり、ＦＥＴ１１２はオフしている。
遮断器２の引きはずしリレー２０１のインターロックパターン表示回路２０４および遮断器３の引きはずしリレー３０１のインターロックパターン表示回路３０４も同様の回路で構成されており、ＬＥＤ１Ａが橙色に発光する。
ＬＥＤ１Ａは図３のＬＥＤ５１に相当し、ＬＥＤ５１が橙色に発光することでインターロックパターンがパターン１であり、グループ５０２に属していることが分かる。【００１６】
図１０は図４に示すように３台の遮断器のインターロックを取ったグループがグループ５０１、５０２、５０３の３つある場合のグループ５０３のインターロック装置と遮断器の内部回路図である。
グループ５０３のインターロック装置４のＡ端子、Ｂ端子はグループ５０２のＤ端子、Ｅ端子へ接続されるため、図１０に示すようにＡ端子とＢ端子間は短絡される。遮断器１の引きはずしリレー１０１のインターロックパターン表示回路１０４の電源１０７は電圧印加回路１１１に接続されており、ＦＥＴ１１２がオンするようにゲート電圧を印加している。電源１０７から電流制限回路１１０を介して、ＦＥＴ１１２とダイオード１１４を通りＬＥＤ１Ａの左側の素子へ電流が流れて緑色に発光する。
遮断器２の引きはずしリレー２０１のインターロックパターン表示回路２０４および遮断器３の引きはずしリレー３０１のインターロックパターン表示回路３０４も同様の回路で構成されており、ＬＥＤ１Ａが緑色に発光する。
ＬＥＤ１Ａは図３のＬＥＤ５１に相当し、ＬＥＤ５１が緑色に発光することでインターロックパターンがパターン１であり、グループ５０３に属していることが分かる。【００１７】
図１１で本体状態表示回路１０５、２０５、３０５およびインターロック状態，誤動作表示回路１０６、２０６、３０６の動作を示す。
図１１の遮断器１の引きはずしリレー１０１の本体状態表示回路１０５のＬＥＤ１Ｆ、遮断器２の引きはずしリレー２０１の本体状態表示回路２０５のＬＥＤ２Ｆ、遮断器３の引きはずしリレー３０１の本体状態表示回路３０５のＬＥＤ３Ｆは図３のＬＥＤ５４に相当する。図１１の遮断器１の引きはずしリレー１０１の本体状態表示回路１０５のＬＥＤ１Ｇ、遮断器２の引きはずしリレー２０１の本体状態表示回路２０５のＬＥＤ２Ｇ、遮断器３の引きはずしリレー３０１の本体状態表示回路３０５のＬＥＤ３Ｇは図３のＬＥＤ５５に相当する。図１１の遮断器１の引きはずしリレー１０１の本体状態表示回路１０５のＬＥＤ１Ｈ、遮断器２の引きはずしリレー２０１の本体状態表示回路２０５のＬＥＤ２Ｈ、遮断器３の引きはずしリレー３０１の本体状態表示回路３０５のＬＥＤ３Ｈは図３のＬＥＤ５６に相当する。
また、図１１の遮断器１の引きはずしリレー１０１の本体状態表示回路１０５のＬＥＤ１Ｉ、遮断器２の引きはずしリレー２０１の本体状態表示回路２０５のＬＥＤ２Ｉ、遮断器３の引きはずしリレー３０１の本体状態表示回路３０５のＬＥＤ３Ｉは図３のＬＥＤ５７に相当する。図１１の遮断器１の引きはずしリレー１０１の本体状態表示回路１０５のＬＥＤ１Ｊ、遮断器２の引きはずしリレー２０１の本体状態表示回路２０５のＬＥＤ２Ｊ、遮断器３の引きはずしリレー３０１の本体状態表示回路３０５のＬＥＤ３Ｊは図３のＬＥＤ５８に相当する。図１１の遮断器１の引きはずしリレー１０１の本体状態表示回路１０５のＬＥＤ１Ｋ、遮断器２の引きはずしリレー２０１の本体状態表示回路２０５のＬＥＤ２Ｋ、遮断器３の引きはずしリレー３０１の本体状態表示回路３０５のＬＥＤ３Ｋは図３のＬＥＤ５９に相当する。
図１１で太線部分は遮断器１、遮断器２、遮断器３がオフの状態において電流が流れる経路を示している。遮断器１の引きはずしリレー１０１の本体状態表示回路１０５の電源１０７からダイオード１６２、電流制限回路１６３を介して、ＬＥＤ１Ｆへ電流が流れて発光する。ダイオード１６２はＬＥＤ１Ｆ、ＬＥＤ１Ｇ、ＬＥＤ１Ｈ、ＬＥＤ１Ｉ、ＬＥＤ１Ｊ、ＬＥＤ１Ｋへ逆電圧が印加され故障することを防止している。ＬＥＤ１Ｆは図３のＬＥＤ５４に相当し、ＬＥＤ５４が発光することでこの遮断器が遮断器１であることが分かる。
遮断器２の引きはずしリレー２０１の本体状態表示回路２０５の電源２０７からダイオード２６２、電流制限回路２６３を介して、ＬＥＤ２Ｇへ電流が流れて発光する。
ＬＥＤ２Ｇは図３のＬＥＤ５５に相当し、ＬＥＤ５５が発光することでこの遮断器が遮断器２であることが分かる。
遮断器３の引きはずしリレー３０１の本体状態表示回路３０５の電源３０７からダイオード３６２、電流制限回路３６３を介して、ＬＥＤ３Ｈへ電流が流れて発光する。
ＬＥＤ３Ｈは図３のＬＥＤ５６に相当し、ＬＥＤ５６が発光することでこの遮断器が遮断器３であることが分かる。【００１８】
図１１のインターロック状態，誤動作表示回路１０６、２０６、３０６および不足電圧引きはずし装置１０３、２０３、３０３は同一の回路構成となっている。電気的インターロック装置４から不足電圧引きはずし装置１０３のＧ端子とＨ端子間へ電圧が印加されると、電圧監視回路１６７がコイル励磁回路１６６を動作させて、コイル１６４を励磁する。コイル１６４は無励磁の時は遮断器をオフでロックするように遮断器のオン，オフ機構部をロックしているが、励磁されると遮断器がオンできるようにロックを解除する。また、コイル励磁回路１６６はコイル１６４へ励磁電流を流すと同時に、フォトカプラ１６５がオンとなるように発光側のダイオードへ電流を流す動作を行う。電気的インターロック装置４から不足電圧引きはずし装置１０３へ電圧が印加されると同時に、電圧降圧回路２５のＩ端子とＪ端子間へも電圧が印加され、Ｋ端子とＬ端子間から低電圧に変換された信号電圧が引きはずしリレー１０１のＭ端子とＮ端子間へ入力される。引きはずしリレー１０１のＭ端子とＮ端子間へ信号電圧が印加されるとインターロック状態，誤動作表示回路１０６の電圧検出時駆動回路１６１がＦＥＴ１５５をオンするようにゲートへ電圧を印加する。ＦＥＴ１５５がオンするとフォトカプラ１５４の発光側のダイオードへ電源１０７より電流制限回路１５１を介して電流が流れて、フォトカプラ１５４がオンする。フォトカプラ１５４がオンすると電源１０７より電流制限回路１５１を介して時延回路１５２に電流が流れて時延時間３秒経過するとＦＥＴ１５３がオンするようにゲートへ電圧を印加する。
この時、不足電圧引きはずし装置１０３が正常に動作していれば、フォトカプラ１６５はオンしているので、電源１０７よりフォトカプラ１６５を介して電流通電回路１５７へ電流が流れる。電流が流れると電流通電回路１５７はトランジスタ１５８、１６０のベース端子へ電流を流し、トランジスタ１５８、１６０がオンとなる。不足電圧引きはずし装置１０３のＧ端子とＨ端子間へ電圧が印加されてからフォトカプラ１６５がオンとなり、トランジスタ１５８、１６０がオンとなるまでには１秒程度の時間を要するが、時延回路１５２の時延時間は３秒であるため、時延回路１５２がＦＥＴ１５３をオンするまでにトランジスタ１６０がオンし、ＦＥＴ１５５のゲートとソース間はトランジスタ１６０で短絡され、ＦＥＴ１５５がオフしてフォトカプラ１５４の発光側ダイオードへの通電が遮断されて、時延回路１５２の積算時間が０秒にリセットされてＦＥＴ１５３はオンしない。
しかし、不足電圧引きはずし装置１０３に異常が生じてＧ端子とＨ端子間へ電圧が印加されているにもかかわらず、コイル１６４へ励磁電流が流れずにフォトカプラ１６５がオンしない場合は、電流通電回路１５７へ電流は通電されず、トランジスタ１６０はオンしない。トランジスタ１６０がオンしないとＦＥＴ１５５はオンを維持するため、時延回路１５２への通電は継続し、時延時間３秒経過した後にＦＥＴ１５３のゲートへ電圧を印加してＦＥＴ１５３をオンする。ＦＥＴ１５３がオンすると電源１０７より電流制限回路１５１を介してＬＥＤ１Ｄへ電流が流れて、ＬＥＤ１Ｄが発光する。ＬＥＤ１Ｄは図３のＬＥＤ６１に相当し、ＬＥＤ６１が発光するとインターロックに異常が生じたことが分かる。この異常を知らせる動作は不足電圧引きはずし装置１０３のＧ端子とＨ端子間に電圧が印加された直後のみに動作するのではなく、Ｇ端子とＨ端子間に電圧印加を継続して行い、正常に動作していた後に不足電圧引きはずし装置１０３に異常が生じてフォトカプラ１６５がオフした場合でも電流通電回路１５７への通電は遮断され、トランジスタ１６０がオフしてＦＥＴ１５５が電圧検出時駆動回路１６１によりオンされて、時延回路１５２の時延時間３秒経過した時点でＦＥＴ１５３がオンされてＬＥＤ１Ｄが発光する。
また、電源１０７より電圧印加回路１５６へ電圧が印加されると、電圧印加回路１５６はＦＥＴ１５９のゲートへ電圧を印加してＦＥＴ１５９をオンする。ＦＥＴ１５９がオンすると電源１０７より電流制限回路１５１を介してＬＥＤ１Ｅへ電流が流れて発光する。
ＬＥＤ１Ｅは図３のＬＥＤ６０に相当し、ＬＥＤ６０が発光することでこの遮断器の不足電圧引きはずし装置へは電圧が印加されておらず、オフでロックされていることが分かる。
前述のように不足電圧引きはずし装置１０３のＧ端子とＨ端子間へ電圧が印加されているとフォトカプラ１６５がオンして電流通電回路１５７へ電流が流れ、トランジスタ１５８がオンするため、ＦＥＴ１５９のゲートとソース間はトランジスタ１５８で短絡され、ＦＥＴ１５９がオフしてＬＥＤ１Ｅへの通電が遮断されて、ＬＥＤ１Ｅが消灯する。ＬＥＤ１Ｅは図３のＬＥＤ６０に相当するため、ＬＥＤ６０が消灯することでこの遮断器の不足電圧引きはずし装置へは電圧が印加されており、遮断器をオンできることが分かる。【００１９】
図１２は遮断器１がオンした場合のインターロック装置と遮断器の内部回路図である。図１２で太線部分は遮断器１がオン、遮断器２と遮断器３がオフの状態において電流が流れる経路を示している。遮断器１がオンすると補助スイッチ１０２のスイッチ１１８がオンする。スイッチ１１８がオンすると本体状態表示回路１０５の電源１０７よりダイオード１６２、電流制限回路１６３を介してＬＥＤ１Ｉへ電流が流れてＬＥＤ１Ｉが発光する。同様に遮断器２の体状態表示回路２０５の電源２０７よりダイオード２６２、電流制限回路２６３を介してＬＥＤ２Ｉへ電流が流れてＬＥＤ２Ｉが発光し、遮断器３の体状態表示回路３０５の電源３０７よりダイオード３６２、電流制限回路３６３を介してＬＥＤ３Ｉへ電流が流れてＬＥＤ３Ｉが発光する。ＬＥＤ１Ｉ、２Ｉ、３Ｉは図３のＬＥＤ５７に相当するため、ＬＥＤ５７が発光することで遮断器１がオンしていることが分かる。【００２０】
図１３は遮断器２がオンした場合のインターロック装置と遮断器の内部回路図である。図１３で太線部分は遮断器２がオン、遮断器１と遮断器３がオフの状態において電流が流れる経路を示している。遮断器２がオンすると補助スイッチ２０２のスイッチ２１８がオンする。スイッチ２１８がオンすると本体状態表示回路２０５の電源２０７よりダイオード２６２、電流制限回路２６３を介してＬＥＤ２Ｊへ電流が流れてＬＥＤ２Ｊが発光する。同様に遮断器１の体状態表示回路１０５の電源１０７よりダイオード１６２、電流制限回路１６３を介してＬＥＤ１Ｊへ電流が流れてＬＥＤ１Ｊが発光し、遮断器３の体状態表示回路３０５の電源３０７よりダイオード３６２、電流制限回路３６３を介してＬＥＤ３Ｊへ電流が流れてＬＥＤ３Ｊが発光する。ＬＥＤ１Ｊ、２Ｊ、３Ｊは図３のＬＥＤ５８に相当するため、ＬＥＤ５８が発光することで遮断器２がオンしていることが分かる。【００２１】
図１４は遮断器３がオンした場合のインターロック装置と遮断器の内部回路図である。図１４で太線部分は遮断器３がオン、遮断器１と遮断器２がオフの状態において電流が流れる経路を示している。遮断器３がオンすると補助スイッチ３０２のスイッチ３１８がオンする。スイッチ３１８がオンすると本体状態表示回路３０５の電源３０７よりダイオード３６２、電流制限回路３６３を介してＬＥＤ３Ｋへ電流が流れてＬＥＤ３Ｋが発光する。同様に遮断器１の体状態表示回路１０５の電源１０７よりダイオード１６２、電流制限回路１６３を介してＬＥＤ１Ｋへ電流が流れてＬＥＤ１Ｋが発光し、遮断器２の体状態表示回路２０５の電源２０７よりダイオード２６２、電流制限回路２６３を介してＬＥＤ２Ｋへ電流が流れてＬＥＤ２Ｋが発光する。ＬＥＤ１Ｋ、２Ｋ、３Ｋは図３のＬＥＤ５９に相当するため、ＬＥＤ５９が発光することで遮断器３がオンしていることが分かる。【００２２】
図１５は図１のパターン切替えスイッチ５の切替えと連動して同じパターンに切り替わる図５〜図１４のスイッチ１４〜２４の構成図である。このスイッチは１段に３回路３接点を有しており、４段構成のため１２回路３接点を同時に切り替え可能なスイッチである。図１のパターン切替えスイッチ５に相当するトリマ６０１を切り替えることにより図５〜図１４のスイッチ１４〜２４に相当する内部接点が同時に切り替わり、インターロックパターンを切替えることが可能となる。【００２３】
以上のようにこの発明の実施の形態１によれば、インターロック装置間にグループ組分け確認用の配線を追加することにより、遮断器本体にインターロックのグループ組分けの表示をすることができ、同時にインターロックのパターン切替えと連動してインターロックのパターン表示、インターロック相手の遮断器の状態表示、インターロックの動作中及び解除の表示、インターロックの誤動作表示ができるという効果がある。【００２４】
実施の形態２．
図１６はこの発明の実施の形態２における図１５の切替えスイッチの代わりにコネクタを使用した図である。
本実施の形態は、実施の形態１における図１５の１２回路３接点を同時に切り替え可能なスイッチをコネクタで代用したもので、インターロックパターンをパターン１にする場合はコモン端子が１番端子と短絡される雄コネクタ７０１を差し込むことによりパターン１の配線となる。インターロックパターンをパターン２にする場合はコモン端子が２番端子と短絡される雄コネクタ７０２を差し込むことによりパターン２の配線となる。インターロックパターンをパターン３にする場合はコモン端子が３番端子と短絡される雄コネクタ７０３を差し込むことによりパターン３の配線となる。【００２５】
本実施の形態によれば、インターロックパターンの切り替えに多接点のスイッチを使用しないため、スイッチ接点の消耗によるパターン切り替わりの不備がなく、スイッチを使用する場合に比べて信頼性を向上することができる。【００２６】
なお、前述の説明および前述の各図からも明白なように、本実施の形態１には、以下のような技術的特徴がある。
特徴点１Ａ：３台の遮断器の電気的なインターロックのパターン切替え手段及びパターン表示手段を備え、インターロックのグループ組分けの表示手段を備えたインターロック装置及び遮断器である。
特徴点２Ａ：特徴点１Ａにおいて、前記３台の遮断器の電気的なインターロックのインターロック相手の遮断器の状態表示を備えたインターロック装置及び遮断器である。
特徴点３Ａ：特徴点１Ａにおいて、前記３台の遮断器の電気的なインターロックの動作中及び解除の表示手段を備えたインターロック装置及び遮断器である。
特徴点４Ａ：特徴点１Ａにおいて、前記３台の遮断器の電気的なインターロックの誤動作表示手段を備えたインターロック装置及び遮断器である。
特徴点５Ａ：インターロック装置により電気的に遮断器間のインターロックを取ったグループが複数存在した場合に、どの遮断器がどのインターロックのグループに属しているかを表示する手段を備えたインターロック装置及び遮断器である。
特徴点６Ａ：遮断器１の補助スイッチ１０２と不足電圧引きはずし装置１０３、遮断器２の補助スイッチ２０２と不足電圧引きはずし装置２０３、遮断器３の補助スイッチ３０２と不足電圧引きはずし装置３０３をインターロック装置４に接続することによりインターロックが可能となり、インターロック装置４のスイッチ１４〜２４はインターロックのパターン切替えスイッチの切替えと連動して同じパターンに切り替わる機能を有し、遮断器１のインターロックパターン表示回路１０４のＬＥＤ１Ａ、１Ｂ、１Ｃは２素子入りのＬＥＤで左側の素子に通電された場合は緑色、右側の素子に通電された場合は赤色、両側の素子に通電された場合は橙色で発光するＬＥＤであり、属しているインターロックのグループに応じて発光色を変えることによりどのインターロックのグループに属しているかを表示する手段を備え、同様に遮断器２はインターロックパターン表示回路２０４により、遮断器３はインターロックパターン表示回路３０４によりどのインターロックのグループに属しているかを表示する手段を備えたインターロック装置及び遮断器である。
特徴点７Ａ：インターロック装置間にグループ組分け確認用の配線を追加することにより、遮断器本体にインターロックのグループ組分けの表示をすることができ、同時にインターロックのパターン切替えと連動してインターロックのパターン表示、インターロック相手の遮断器の状態表示、インターロックの動作中及び解除の表示、インターロックの誤動作表示が可能となるものである。
特徴点１Ｂ：相対的に電気的なインターロックが行われる少なくとも３台の遮断器及びこれら３台の遮断器の前記インターロック対象となる組み合わせのパターンを設定するインターロック装置から各々構成された複数のグループにおける複数の前記インターロック装置が配線で接続され、前記遮断器の各々に自己の前記グループの内部の前記遮断器の前記インターロックの状態を表示するインターロック表示部が設けられ、前記インターロック表示部に前記パターンの種別、前記グループの種別が表示される遮断器のインターロック表示システムである。
特徴点２Ｂ：特徴点１Ｂに記載の遮断器のインターロック表示システムにおいて、前記グループの種別がＬＥＤで識別表示されることを特徴とする遮断器のインターロック表示システムである。
特徴点３Ｂ：特徴点１Ｂまたは特徴点２Ｂに記載の遮断器のインターロック表示システムにおいて、前記遮断器の前記インターロックの相手の前記遮断器の動作状態が前記インターロック表示部に表示されることを特徴とする遮断器のインターロック表示システムである。
特徴点４Ｂ：特徴点１Ｂまたは特徴点２Ｂに記載の遮断器のインターロック表示システムにおいて、前記インターロック表示部に、前記インターロックの動作中及び解除の表示が行われることを特徴とする遮断器のインターロック表示システムである。
特徴点５Ｂ：特徴点１Ｂまたは特徴点２Ｂに記載の遮断器のインターロック表示システムにおいて、前記インターロック表示部に、前記インターロックの誤動作の表示が行われることを特徴とする遮断器のインターロック表示システムである。
特徴点６Ｂ：特徴点１Ｂまたは特徴点２Ｂに記載の遮断器のインターロック表示システムにおいて、前記遮断器の前記インターロックの相手の前記遮断器の動作状態が前記インターロック表示部に表示され、前記インターロック表示部に、前記インターロックの動作中及び解除の表示が行われることを特徴とする遮断器のインターロック表示システムである。
特徴点７Ｂ：特徴点１Ｂまたは特徴点２Ｂに記載の遮断器のインターロック表示システムにおいて、前記遮断器の前記インターロックの相手の前記遮断器の動作状態が前記インターロック表示部に表示され、前記インターロック表示部に、前記インターロックの誤動作の表示が行われることを特徴とする遮断器のインターロック表示システムである。
特徴点８Ｂ：特徴点１Ｂまたは特徴点２Ｂに記載の遮断器のインターロック表示システムにおいて、前記インターロック表示部に、前記インターロックの動作中及び解除の表示及び前記インターロックの誤動作の表示が行われることを特徴とする遮断器のインターロック表示システムである。
特徴点９Ｂ：特徴点１Ｂまたは特徴点２Ｂに記載の遮断器のインターロック表示システムにおいて、前記遮断器の前記インターロックの相手の前記遮断器の動作状態が前記インターロック表示部に表示され、前記インターロック表示部に、前記インターロックの動作中及び解除の表示及び前記インターロックの誤動作の表示が行われることを特徴とする遮断器のインターロック表示システムである。
特徴点１０Ｂ：相対的に電気的なインターロックが行われる少なくとも３台の遮断器及びこれら３台の遮断器の前記インターロック対象となる組み合わせのパターンを設定するインターロック装置から各々構成された複数のグループにおける複数の前記インターロック装置が配線で接続される前記遮断器であって、自己の前記グループの内部の前記遮断器の前記インターロックの状態を表示するインターロック表示部が設けられ、前記インターロック表示部に前記パターンの種別、前記グループの種別が表示される遮断器である。
特徴点１１Ｂ：特徴点１０Ｂに記載の遮断器において、前記グループの種別がＬＥＤで識別表示されることを特徴とする遮断器である。
特徴点１２Ｂ：特徴点１０Ｂまたは特徴点１１Ｂに記載の遮断器において、前記インターロックの相手の前記遮断器の動作状態が前記インターロック表示部に表示されることを特徴とする遮断器である。
特徴点１３Ｂ：特徴点１０Ｂまたは特徴点１１Ｂに記載の遮断器において、前記インターロック表示部に、前記インターロックの動作中及び解除の表示が行われることを特徴とする遮断器である。
特徴点１４Ｂ：特徴点１０Ｂまたは特徴点１１Ｂに記載の遮断器において、前記インターロック表示部に、前記インターロックの誤動作の表示が行われることを特徴とする遮断器である。
特徴点１５Ｂ：特徴点１０Ｂまたは特徴点１１Ｂに記載の遮断器において、前記インターロックの相手の前記遮断器の動作状態が前記インターロック表示部に表示され、前記インターロック表示部に、前記インターロックの動作中及び解除の表示が行われることを特徴とする遮断器である。
特徴点１６Ｂ：特徴点１０Ｂまたは特徴点１１Ｂに記載の遮断器において、前記インターロックの相手の前記遮断器の動作状態が前記インターロック表示部に表示され、前記インターロック表示部に、前記インターロックの誤動作の表示が行われることを特徴とする遮断器。
特徴点１７Ｂ：特徴点１０Ｂまたは特徴点１１Ｂに記載の遮断器において、前記インターロック表示部に、前記インターロックの動作中及び解除の表示及び前記インターロックの誤動作の表示が行われることを特徴とする遮断器である。
特徴点１８Ｂ：特徴点１０Ｂまたは特徴点１１Ｂに記載の遮断器において、前記インターロックの相手の前記遮断器の動作状態が前記インターロック表示部に表示され、前記インターロック表示部に、前記インターロックの動作中及び解除の表示及び前記インターロックの誤動作の表示が行われることを特徴とする遮断器である。【００２７】
なお、図１〜図１６の各図中、同一符合は同一または相当部分を示す。
なお、本発明は、その発明の範囲内において、各実施の形態を適宜、変形、省略、組み合わせることができる。
【符号の説明】
【００２８】
１  遮断器、２  遮断器、３  遮断器、４  インターロック装置、
５  パターン切替えスイッチ、６  インターロック表示部、１１  電源、
１２  電源、１３  電源、１４  スイッチ、１５  スイッチ、
１６  スイッチ、１７  スイッチ、１８  スイッチ、１９  スイッチ、
２０  スイッチ、２１  スイッチ、２２  スイッチ、２３  スイッチ、
２４  スイッチ、１Ｆ  ＬＥＤ、１Ｇ  ＬＥＤ、１Ｈ    ＬＥＤ、
１Ｉ  ＬＥＤ、１Ｊ  ＬＥＤ、１Ｋ  ＬＥＤ、２Ｆ  ＬＥＤ、
２Ｇ  ＬＥＤ、２Ｈ  ＬＥＤ、２Ｉ  ＬＥＤ、２Ｊ  ＬＥＤ、
２Ｋ  ＬＥＤ、３Ｆ  ＬＥＤ、３Ｇ  ＬＥＤ、３Ｈ  ＬＥＤ、
３Ｉ  ＬＥＤ、３Ｊ  ＬＥＤ、３Ｋ  ＬＥＤ、２５  電圧降圧回路、
２６  電圧降圧回路、２７  電圧降圧回路、５１  パターン表示、
５２  パターン表示、５３  パターン表示、５４  該当本体表示、
５５  該当本体表示、５６  該当本体表示、５７  遮断器本体のオン表示、
５８  遮断器本体のオン表示、５９  遮断器本体のオン表示、
６０  動作中表示、６１  誤動作表示、１０１  引きはずしリレー、
１０２  補助スイッチ、１０３  不足電圧引きはずし装置、
１０４  インターロックパターン表示回路、１０５  本体状態表示回路、
１０６  誤動作表示回路、１０７  電源、  １０８  電流制限回路、
１０９  電流制限回路、１１０  電流制限回路、１１１  電圧印加回路、
１１２  ＦＥＴ、１１３  フォトカプラ、１１４  ダイオード、
１１５  ダイオード、１１６  スイッチ、１１７  スイッチ、
１１８  スイッチ、１５１  電流制限回路、１５２  時延回路、
１５３  ＦＥＴ、１５４  フォトカプラ、１５５    ＦＥＴ、
１５６  電圧印加回路、１５７  電流通電回路、１５８  トランジスタ、
１５９  ＦＥＴ、１６０  トランジスタ、１６１  電圧検出時駆動回路、
１６２  ダイオード、１６３  電流制限回路、１６４  コイル、
１６５  フォトカプラ、１６６  コイル励磁回路、１６７  電圧監視回路、
２０１  引きはずしリレー、２０２  補助スイッチ、
２０３  不足電圧引きはずし装置、
２０４  インターロックパターン表示回路、２０５  本体状態表示回路、
２０６  誤動作表示回路、２１６  スイッチ、２１７  スイッチ、
２１８  スイッチ、２６２  ダイオード、２６３  電流制限回路、
３０１  引きはずしリレー、３０２  補助スイッチ、
３０３  不足電圧引きはずし装置、
３０４  インターロックパターン表示回路、３０５  本体状態表示回路、
３０６  誤動作表示回路、３１６  スイッチ、３１７  スイッチ、
３１８  スイッチ、３６２  ダイオード、３６３  電流制限回路、
５０１  グループ、５０２  グループ、５０３  グループ、
Ａ  端子、Ｂ  端子、Ｃ  端子、Ｄ  端子、Ｅ  端子、
Ｄ  端子、Ｆ  端子、Ｇ  端子、Ｈ  端子、Ｉ  端子、
Ｊ  端子、Ｋ  端子、Ｌ  端子、Ｍ  端子、Ｎ  端子。
【図１】
2014192131.tif 000003
【図２】
2014192131.tif 000004
【図３】
2014192131.tif 000005
【図４】
2014192131.tif 000006
【図５】
2014192131.tif 000007
【図６】
2014192131.tif 000008
【図７】
2014192131.tif 000009
【図８】
2014192131.tif 000010
【図９】
2014192131.tif 000011
【図１０】
2014192131.tif 000012
【図１１】
2014192131.tif 000013
【図１２】
2014192131.tif 000014
【図１３】
2014192131.tif 000015
【図１４】
2014192131.tif 000016
【図１５】
2014192131.tif 000017
【図１６】
2014192131.tif 000018
【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
相対的に電気的なインターロックが行われる少なくとも３台の遮断器及びこれら３台の遮断器の前記インターロックの対象となる組み合わせのパターンを設定するインターロック装置から各々構成され前記少なくとも３台の遮断器のインターロックをとった複数のグループの前記インターロック装置の各々が配線で接続され、前記遮断器の各々に前記インターロックの状態を表示するインターロック表示部が設けられ、前記インターロック表示部に前記パターンの種別、前記グループの種別が表示される遮断器のインターロック表示システム。
【請求項２】
請求項１に記載の遮断器のインターロック表示システムにおいて、前記グループの種別がＬＥＤで識別表示されることを特徴とする遮断器のインターロック表示システム。
【請求項３】
請求項１または請求項２に記載の遮断器のインターロック表示システムにおいて、前記複数のグループの各々における前記インターロックの相手の前記遮断器の動作状態が前記インターロック表示部に表示されることを特徴とする遮断器のインターロック表示システム。
【請求項４】
請求項１または請求項２に記載の遮断器のインターロック表示システムにおいて、前記インターロック表示部に、前記インターロックの動作中及び解除の表示が行われることを特徴とする遮断器のインターロック表示システム。
【請求項５】
請求項１または請求項２に記載の遮断器のインターロック表示システムにおいて、前記インターロック表示部に、前記インターロックの誤動作の表示が行われることを特徴とする遮断器のインターロック表示システム。
【請求項６】
請求項１または請求項２に記載の遮断器のインターロック表示システムにおいて、前記遮断器の前記インターロックの相手の前記遮断器の動作状態が前記インターロック表示部に表示され、前記インターロック表示部に、前記インターロックの動作中及び解除の表示が行われることを特徴とする遮断器のインターロック表示システム。
【請求項７】
請求項１または請求項２に記載の遮断器のインターロック表示システムにおいて、前記複数のグループの各々における前記インターロックの相手の前記遮断器の動作状態が前記インターロック表示部に表示され、前記インターロック表示部に、前記インターロックの誤動作の表示が行われることを特徴とする遮断器のインターロック表示システム。
【請求項８】
請求項１または請求項２に記載の遮断器のインターロック表示システムにおいて、前記インターロック表示部に、前記インターロックの動作中及び解除の表示及び前記インターロックの誤動作の表示が行われることを特徴とする遮断器のインターロック表示システム。
【請求項９】
請求項１または請求項２に記載の遮断器のインターロック表示システムにおいて、前記複数のグループの各々における前記インターロックの相手の前記遮断器の動作状態が前記インターロック表示部に表示され、前記インターロック表示部に、前記インターロックの動作中及び解除の表示及び前記インターロックの誤動作の表示が行われることを特徴とする遮断器のインターロック表示システム。
【請求項１０】
相対的に電気的なインターロックが行われる少なくとも３台の遮断器及びこれら３台の遮断器の前記インターロックの対象となる組み合わせのパターンを設定するインターロック装置から各々構成され前記少なくとも３台の遮断器のインターロックをとった複数のグループの前記インターロック装置の各々が配線で接続される前記遮断器であって、前記インターロックの状態を表示するインターロック表示部が設けられ、前記インターロック表示部に前記パターンの種別、前記グループの種別が表示される遮断器。
【請求項１１】
請求項１０に記載の遮断器において、前記グループの種別がＬＥＤで識別表示されることを特徴とする遮断器。
【請求項１２】
請求項１０または請求項１１に記載の遮断器において、前記複数のグループの各々における前記インターロックの相手の前記遮断器の動作状態が前記インターロック表示部に表示されることを特徴とする遮断器。
【請求項１３】
請求項１０または請求項１１に記載の遮断器において、前記インターロック表示部に、前記インターロックの動作中及び解除の表示が行われることを特徴とする遮断器。
【請求項１４】
請求項１０または請求項１１に記載の遮断器において、前記インターロック表示部に、前記インターロックの誤動作の表示が行われることを特徴とする遮断器。
【請求項１５】
請求項１０または請求項１１に記載の遮断器において、前記複数のグループの各々における前記インターロックの相手の前記遮断器の動作状態が前記インターロック表示部に表示され、前記インターロック表示部に、前記インターロックの動作中及び解除の表示が行われることを特徴とする遮断器。
【請求項１６】
請求項１０または請求項１１に記載の遮断器において、前記複数のグループの各々における前記インターロックの相手の前記遮断器の動作状態が前記インターロック表示部に表示され、前記インターロック表示部に、前記インターロックの誤動作の表示が行われることを特徴とする遮断器。
【請求項１７】
請求項１０または請求項１１に記載の遮断器において、前記インターロック表示部に、前記インターロックの動作中及び解除の表示及び前記インターロックの誤動作の表示が行われることを特徴とする遮断器。
【請求項１８】
請求項１０または請求項１１に記載の遮断器において、前記複数のグループの各々における前記インターロックの相手の前記遮断器の動作状態が前記インターロック表示部に表示され、前記インターロック表示部に、前記インターロックの動作中及び解除の表示及び前記インターロックの誤動作の表示が行われることを特徴とする遮断器。 
【手続補正２】
【補正対象書類名】明細書
【補正対象項目名】０００５
【補正方法】変更
【補正の内容】
【０００５】
この発明に係る遮断器のインターロック表示システムは、電気的にインターロックを取ったグループが複数存在しても、遮断器本体の電気的な表示によって、どのインターロックのグループに属しているかを分かるように、相対的に電気的なインターロックが行われる少なくとも３台の遮断器及びこれら３台の遮断器の前記インターロックの対象となる組み合わせのパターンを設定するインターロック装置から各々構成され前記少なくとも３台の遮断器のインターロックをとった複数のグループの前記インターロック装置の各々が配線で接続され、前記遮断器の各々に前記インターロックの状態を表示するインターロック表示部が設けられ、前記インターロック表示部に前記パターンの種別、前記グループの種別が表示されるものである。
【手続補正３】
【補正対象書類名】明細書
【補正対象項目名】０００６
【補正方法】変更
【補正の内容】
【０００６】
この発明による遮断器のインターロック表示システムは、相対的に電気的なインターロックが行われる少なくとも３台の遮断器及びこれら３台の遮断器の前記インターロックの対象となる組み合わせのパターンを設定するインターロック装置から各々構成され前記少なくとも３台の遮断器のインターロックをとった複数のグループの前記インターロック装置の各々が配線で接続され、前記遮断器の各々に前記インターロックの状態を表示するインターロック表示部が設けられ、前記インターロック表示部に前記パターンの種別、前記グループの種別が表示されるので、電気的にインターロックを取ったグループが複数存在しても、遮断器本体の電気的な表示によって、どのインターロックのグループに属しているかが分かる効果がある。
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
相対的に電気的なインターロックが行われる少なくとも３台の遮断器及びこれら３台の遮断器の前記インターロックの対象となる組み合わせのパターンを設定するインターロック装置から各々構成され前記少なくとも３台の遮断器のインターロックをとった複数のグループの前記インターロック装置同士の各々が配線で接続され、前記遮断器の各々に前記インターロックの状態を表示するインターロック表示部が設けられ、前記インターロック表示部に前記パターンの種別、前記グループの種別が表示される遮断器のインターロック表示システム。
【請求項２】
請求項１に記載の遮断器のインターロック表示システムにおいて、前記グループの種別がＬＥＤで識別表示されることを特徴とする遮断器のインターロック表示システム。
【請求項３】
請求項１または請求項２に記載の遮断器のインターロック表示システムにおいて、前記複数のグループの各々における前記インターロックの相手の前記遮断器の動作状態が前記インターロック表示部に表示されることを特徴とする遮断器のインターロック表示システム。
【請求項４】
請求項１または請求項２に記載の遮断器のインターロック表示システムにおいて、前記インターロック表示部に、前記インターロックの動作中及び解除の表示が行われることを特徴とする遮断器のインターロック表示システム。
【請求項５】
請求項１または請求項２に記載の遮断器のインターロック表示システムにおいて、前記インターロック表示部に、前記インターロックの誤動作の表示が行われることを特徴とする遮断器のインターロック表示システム。
【請求項６】
請求項１または請求項２に記載の遮断器のインターロック表示システムにおいて、前記遮断器の前記インターロックの相手の前記遮断器の動作状態が前記インターロック表示部に表示され、前記インターロック表示部に、前記インターロックの動作中及び解除の表示が行われることを特徴とする遮断器のインターロック表示システム。
【請求項７】
請求項１または請求項２に記載の遮断器のインターロック表示システムにおいて、前記複数のグループの各々における前記インターロックの相手の前記遮断器の動作状態が前記インターロック表示部に表示され、前記インターロック表示部に、前記インターロックの誤動作の表示が行われることを特徴とする遮断器のインターロック表示システム。
【請求項８】
請求項１または請求項２に記載の遮断器のインターロック表示システムにおいて、前記インターロック表示部に、前記インターロックの動作中及び解除の表示及び前記インターロックの誤動作の表示が行われることを特徴とする遮断器のインターロック表示システム。
【請求項９】
請求項１または請求項２に記載の遮断器のインターロック表示システムにおいて、前記複数のグループの各々における前記インターロックの相手の前記遮断器の動作状態が前記インターロック表示部に表示され、前記インターロック表示部に、前記インターロックの動作中及び解除の表示及び前記インターロックの誤動作の表示が行われることを特徴とする遮断器のインターロック表示システム。
【請求項１０】
相対的に電気的なインターロックが行われる少なくとも３台の遮断器及びこれら３台の遮断器の前記インターロックの対象となる組み合わせのパターンを設定するインターロック装置から各々構成され前記少なくとも３台の遮断器のインターロックをとった複数のグループの前記インターロック装置同士の各々が配線で接続される前記遮断器であって、前記インターロックの状態を表示するインターロック表示部が設けられ、前記インターロック表示部に前記パターンの種別、前記グループの種別が表示される遮断器。
【請求項１１】
請求項１０に記載の遮断器において、前記グループの種別がＬＥＤで識別表示されることを特徴とする遮断器。
【請求項１２】
請求項１０または請求項１１に記載の遮断器において、前記複数のグループの各々における前記インターロックの相手の前記遮断器の動作状態が前記インターロック表示部に表示されることを特徴とする遮断器。
【請求項１３】
請求項１０または請求項１１に記載の遮断器において、前記インターロック表示部に、前記インターロックの動作中及び解除の表示が行われることを特徴とする遮断器。
【請求項１４】
請求項１０または請求項１１に記載の遮断器において、前記インターロック表示部に、前記インターロックの誤動作の表示が行われることを特徴とする遮断器。
【請求項１５】
請求項１０または請求項１１に記載の遮断器において、前記複数のグループの各々における前記インターロックの相手の前記遮断器の動作状態が前記インターロック表示部に表示され、前記インターロック表示部に、前記インターロックの動作中及び解除の表示が行われることを特徴とする遮断器。
【請求項１６】
請求項１０または請求項１１に記載の遮断器において、前記複数のグループの各々における前記インターロックの相手の前記遮断器の動作状態が前記インターロック表示部に表示され、前記インターロック表示部に、前記インターロックの誤動作の表示が行われることを特徴とする遮断器。
【請求項１７】
請求項１０または請求項１１に記載の遮断器において、前記インターロック表示部に、前記インターロックの動作中及び解除の表示及び前記インターロックの誤動作の表示が行われることを特徴とする遮断器。
【請求項１８】
請求項１０または請求項１１に記載の遮断器において、前記複数のグループの各々における前記インターロックの相手の前記遮断器の動作状態が前記インターロック表示部に表示され、前記インターロック表示部に、前記インターロックの動作中及び解除の表示及び前記インターロックの誤動作の表示が行われることを特徴とする遮断器。 
【手続補正２】
【補正対象書類名】明細書
【補正対象項目名】０００５
【補正方法】変更
【補正の内容】
【０００５】
この発明に係る遮断器のインターロック表示システムは、電気的にインターロックを取ったグループが複数存在しても、遮断器本体の電気的な表示によって、どのインターロックのグループに属しているかを分かるように、相対的に電気的なインターロックが行われる少なくとも３台の遮断器及びこれら３台の遮断器の前記インターロックの対象となる組み合わせのパターンを設定するインターロック装置から各々構成され前記少なくとも３台の遮断器のインターロックをとった複数のグループの前記インターロック装置同士の各々が配線で接続され、前記遮断器の各々に前記インターロックの状態を表示するインターロック表示部が設けられ、前記インターロック表示部に前記パターンの種別、前記グループの種別が表示されるものである。 
【手続補正３】
【補正対象書類名】明細書
【補正対象項目名】０００６
【補正方法】変更
【補正の内容】
【０００６】
この発明による遮断器のインターロック表示システムは、相対的に電気的なインターロックが行われる少なくとも３台の遮断器及びこれら３台の遮断器の前記インターロックの対象となる組み合わせのパターンを設定するインターロック装置から各々構成され前記少なくとも３台の遮断器のインターロックをとった複数のグループの前記インターロック装置同士の各々が配線で接続され、前記遮断器の各々に前記インターロックの状態を表示するインターロック表示部が設けられ、前記インターロック表示部に前記パターンの種別、前記グループの種別が表示されるので、電気的にインターロックを取ったグループが複数存在しても、遮断器本体の電気的な表示によって、どのインターロックのグループに属しているかが分かる効果がある。
【国際調査報告】
2014192131.tif 000019
2014192131.tif 000020
2014192131.tif 000021
2014192131.tif 000022